(57)【特許請求の範囲】
【請求項１】
流体に混入する夾雑物を除去すべく、並設される複数のバーと、各バー間に配置される部位と当該部位をそれぞれ連結させる連結部とを有して各バーを離間させるスペーサとを備え、スペーサは、平板状に形成され、バーの長手方向と傾斜して交差するように配置されるバースクリーン、の製造方法であって、
複数のバーを床上に立てた状態で所定間隔をおいて配置する工程と、
スペーサの各バー間に配置される部位を、各バーに挿入する工程と、
スペーサがバーの長手方向と傾斜して交差するように配置されるべく、底縁部が略直線状に形成され且つ側縁部が所定の勾配を有して形成されるゲージプレートを床に載置した状態で、ゲージプレートの側縁部をスペーサに当接させる工程と、
各バーとスペーサとを溶接する工程とを備えることを特徴とするバースクリーンの製造方法。
【請求項２】
流体に混入する夾雑物を除去すべく、並設される複数のバーと、各バー間に配置される部位を有して各バーを離間させるスペーサとを備え、
複数のバーは、流体の流れ方向と直交方向に並設され、
スペーサは、平板状に形成され、バーの長手方向と傾斜して交差するように配置されるバースクリーンであって、
スペーサは、流体に付勢されることにより流れ方向と平行に配置されるべく、複数のバーが並設される方向を中心に回転可能に構成されることを特徴とするバースクリーン。
【請求項３】
スペーサは、各バー間に配置される部位をそれぞれ連結させる連結部を備える請求項２に記載のバースクリーン。
【請求項４】
各バーは、平板状に形成され、流れ方向と平行に配置される請求項２又は３に記載のバースクリーン。
【発明の詳細な説明】
【技術分野】
【０００１】
本発明は、流体に混入する夾雑物を除去するためのバースクリーンの製造方法及びバースクリーンに関する。
【背景技術】
【０００２】
従来、所定方向に流れる流体に混入する夾雑物を除去するためのバースクリーンとして、図７に示すように、流れ方向Ｆと直交方向に並設される複数のバー１００，…と、各バー１００間に配置される部位を有して各バー１００を離間させる複数のスペーサ１０１，…とを備えるバースクリーンが知られている（例えば、特許文献１）。かかる各スペーサ１０１は、平板状に形成され、バー１００の長手方向と直交するように配置される。
【特許文献１】特開平２−１７４９０５号公報
【発明の開示】
【発明が解決しようとする課題】
【０００３】
しかしながら、かかるバースクリーンは、一般的に、各バー１００の長手方向が流れ方向と直交する面に対して傾斜して交差するように配置されるため、図７（ｂ）に示すように、板状の各スペーサ１０１が流れ方向と傾斜して交差するように配置されることになる。これにより、各スペーサ１０１は、流体に付勢されるため、損傷し易く、また、バースクリーン全体を振動させることにより、バースクリーンを損傷させることもある。
【０００４】
さらに、各スペーサ１０１は、流体の流れを妨げることにもなるため、例えば、水力発電所の取水口、沈砂池、水槽等の設備に設置された場合、バースクリーンを通過する際に損失水頭（エネルギー損失）が発生し、その結果、発電損失が発生する。
【０００５】
よって、本発明は、かかる事情に鑑み、損傷するのを防止するバースクリーンの製造方法及びバースクリーンを提供することを課題とする。
【課題を解決するための手段】
【０００６】
本発明に係るバースクリーンの製造方法は、流体に混入する夾雑物を除去すべく、並設される複数のバーと、各バー間に配置される部位と当該部位をそれぞれ連結させる連結部とを有して各バーを離間させるスペーサとを備え、スペーサは、平板状に形成され、バーの長手方向と傾斜して交差するように配置されるバースクリーン、の製造方法であって、複数のバーを床上に立てた状態で所定間隔をおいて配置する工程と、スペーサの各バー間に配置される部位を、各バーに挿入する工程と、スペーサがバーの長手方向と傾斜して交差するように配置されるべく、底縁部が略直線状に形成され且つ側縁部が所定の勾配を有して形成されるゲージプレートを床に載置した状態で、ゲージプレートの側縁部をスペーサに当接させる工程と、各バーとスペーサとを溶接する工程とを備えることを特徴とする。
【０００７】
本発明に係るバースクリーンによれば、スペーサが並設される各バー間に配置される部位を有するため、各バーが離間される。これにより、流体がバーやスペーサを通過する際に、例えば、夾雑物がバーやスペーサに付着又は係止されるため、流体に混入する夾雑物を除去できる。
【０００８】
また、平板状に形成されるスペーサがバーの長手方向と傾斜して交差するように配置されるため、例えば、流体の流れ方向と直交する面に対してバーの長手方向が傾斜して交差するように配置された場合、従来技術のようにバーの長手方向が直交するように配置される場合と比較して、流体に付勢される力を小さくすることができ、また、流体の流れの妨げを小さくすることができる。
【０００９】
また、本発明に係るバースクリーンは、流体に混入する夾雑物を除去すべく、並設される複数のバーと、各バー間に配置される部位を有して各バーを離間させるスペーサとを備え、複数のバーは、流体の流れ方向と直交方向に並設され、スペーサは、平板状に形成され、バーの長手方向と傾斜して交差するように配置されるバースクリーンであって、スペーサは、流体に付勢されることにより流れ方向と平行に配置されるべく、複数のバーが並設される方向を中心に回転可能に構成されることを特徴とする。
【００１０】
かかる構成によれば、複数のバーが流れ方向と直交方向に並設されるため、夾雑物がバーやスペーサに付着又は係止され、その結果、流体に混入する夾雑物を除去できる。また、スペーサが流れ方向と平行に配置されるため、流体に付勢されるのを防止でき、また、流体の流れを妨げるのを防止できる。
【００１１】
また、本発明に係るバースクリーンにおいては、スペーサは、各バー間に配置される部位をそれぞれ連結させる連結部を備えてもよい。
【００１２】
かかる構成によれば、スペーサが各バー間に配置される部位をそれぞれ連結部で連結しているため、各スペーサにおける各バー間に配置される部位が流れ方向又は流れ方向と反対方向から各バー間に挿入できる。したがって、スペーサの一部を各バー間に挿入する作業を容易にすることができる。
【００１３】
また、本発明に係るバースクリーンにおいては、各バーは、平板状に形成され、流れ方向と平行に配置されてもよい。
【００１４】
かかる構成によれば、各バーが平板状に形成され且つ流れ方向と平行に配置されるため、各バーにおいても、流体に付勢されるのを防止でき、また、流体の流れを妨げるのを防止できる。
【発明の効果】
【００１５】
以上の如く、本発明に係るバースクリーンによれば、スペーサが流れ方向と平行に配置することもできるため、流体に付勢されるのを防止でき、その結果、損傷するのを防止できる。
【００１６】
また、本発明に係るバースクリーンによれば、例えば、水力発電所の取水口、沈砂池、水槽等の設備に設置された場合には、水が通過する際に、損失水頭（エネルギー損失）が発生するのを防止できるという優れた効果を奏する。
【発明を実施するための最良の形態】
【００１７】
以下、本発明に係るバースクリーンにおける一実施形態について、図１〜図４を参酌して説明する。
【００１８】
本実施形態に係るバースクリーンは、図１〜図３に示すように、流体に混入する夾雑物を除去すべく、並設される複数のバー１，…と、各バー１間に配置される部位２０を有して各バー１を離間させるスペーサ２，…とを備える。具体的には、流体の流れ方向Ｆと直交方向に並設される複数のバー１，…と、バー１の長手方向に並設される複数のスペーサ２，…とを備える。
【００１９】
より具体的には、バースクリーンは、水平方向に水が流れる水路に設置され、水に混入する夾雑物を除去すべく、水路の幅方向に並設される複数のバー１，…と、水路の幅方向に沿って配置され、水路の深さ方向に並設される複数のスペーサ２，…とを備える。
【００２０】
各バー１は、水流（流れ）方向Ｆと直交する面に対し、長手方向が傾斜して交差するように配置される。具体的には、各バー１は、長手方向が水路の深さ方向に傾斜して配置される。そして、各バー１は、平板状に形成され、水流（流れ）方向Ｆと平行に配置される。
【００２１】
スペーサ２は、平板状に形成され、バー１の長手方向と傾斜して交差するように配置される。具体的には、スペーサ２は、流れ方向Ｆと平行に配置される。さらに、各スペーサ２は、バー１，…が並設される方向とも平行に配置される。
【００２２】
したがって、各バー１、各スペーサ２が平板状に形成され且つ水流方向Ｆと平行に配置されているため、水流方向Ｆと直交する面において開口面積がより大きくなるように形成されている。
【００２３】
また、スペーサ２は、各バー１間に配置される部位（以下、「挿入部」ともいう）２０，…をそれぞれ連結させる連結部２１を備える。具体的には、スペーサ２は、平板状に形成される挿入部２０が隣接するバー１，１をそれぞれ係止することにより離間させる。より具体的には、スペーサ２は、平板状で且つ櫛状に形成される。
【００２４】
そして、各スペーサ２は、挿入部２０が水流方向Ｆと反対方向から各バー１間に挿入され、バー１，…に対して固定される。具体的には、各スペーサ２は、挿入部２０の幅方向の両端縁がバー１，１と溶接されて固定される。
【００２５】
そして、バースクリーンは、水路に固定される受桁（図示しない）を介して、水路に固定される。具体的には、バースクリーンは、水路の幅方向に沿って配置され且つバー１の長手方向に並設される複数の受桁に、上端部、下端部、及び中間部がそれぞれ溶接されることにより、水路に固定される。
【００２６】
また、バースクリーンは、図４に示すように、所定長さの複数のバー１，…を、床上に立てた状態で所定間隔をおいて配置する。かかる場合、スペーサ２をバー１，…に挿入することにより、バー１，…の転倒を防止することができる。
【００２７】
そして、各バー１に付されたマーキング等を目印にして、固定するためのスペーサ２をバー１，…に挿入する。かかる場合、スペーサ２は、バースクリーンが設置される勾配に対応して形成されたゲージプレート３の側縁部に当接（係止）された状態とする。
【００２８】
なお、ゲージプレート３は、扱い易いように、例えば、３．２〜４．５ミリメートルの厚さの鉄板から形成されている。また、ゲージプレート３は、載置される床に対応して、底縁部が略直線状に形成されている。具体的には、ゲージプレート３は、略台形である。
【００２９】
そして、各バー１に対してスペーサ２を仮溶接する。かかる場合、各バー１に対してゲージプレート３を固定（溶接）しない。また、併せて、各バー１が互いに平行であること（床に対して垂直であること）を確認する。
【００３０】
同様に、複数のスペーサ２，…においても、各バー１に対して仮溶接する。さらに、一端側のスペーサ２から順番に本溶接すると溶接歪が発生するため、適切な順番にて、各スペーサ２を本溶接する。このようにして、バースクリーンを製造する。
【００３１】
本実施形態に係るバースクリーンの構成は以上の通りであり、次に、本実施形態に係るバースクリーンの作用について説明する。
【００３２】
スペーサ２，…によって互いに離間された複数のバー１，…が水路の幅方向に並設されているため、水がバー１，…やスペーサ２，…を通過する際に、混入する夾雑物がバー１，…やスペーサ２，…に付着（係止）する。そして、例えば、上流側から各バー１，１間に配置される部位を備え、バー１の長手方向に沿って移動可能なレーキ（図示しない）で、付着（係止）された夾雑物を除去することができる。
【００３３】
ここで、図３（ｂ）に示すように、平板状の各スペーサ２が水流方向Ｆと平行に配置されているため、水がバー１，…やスペーサ２，…を通過する際、水が各スペーサ２の平板状の面に沿って流れる。また、平板状の各バー１も水流方向Ｆと平行に配置されているため、水が各バー１の平板状の面に沿って流れる。
【００３４】
以上より、本実施形態に係るバースクリーンは、板状の各スペーサ２がバー１の長手方向と傾斜して交差するように配置され且つ水流方向Ｆと平行に配置されるため、水に付勢されるのを防止できると共に、水の流れを妨げるのを防止でき、その結果、スペーサ２をはじめとする各部材が損傷するのを防止することができる。
【００３５】
さらに、本実施形態に係るバースクリーンは、例えば、水力発電所の取水口、沈砂池、水槽等の設備に設置された場合には、水が通過する際に、損失水頭（エネルギー損失）が発生するのを防止できる
【００３６】
また、本実施形態に係るバースクリーンは、スペーサ２が挿入部２０をそれぞれ連結部２１で連結しているため、挿入部２０を流れ方向と反対方向から各バー１間に挿入することができ、各バー１間に挿入部２０を挿入する作業を容易にすることができる。
【００３７】
また、本実施形態に係るバースクリーンは、各バー１が平板状に形成され且つ水流方向と平行に配置されるため、各バー１が、水に付勢されるのを防止でき、また、水の流れを妨げるのを防止できる。
【００３８】
なお、本発明に係るバースクリーンの製造方法及びバースクリーンは、上記した実施の形態に限定されるものではなく、本発明の要旨を逸脱しない範囲内において種々変更を加え得ることは勿論である。
【００３９】
例えば、上記実施形態に係るバースクリーンにおいては、各スペーサ２がバー１に対して固定される場合を説明したが、かかる場合に限られず、スペーサがバーに対して変位可能に構成される場合でもよい。
【００４０】
かかる構成の一実施形態として、図５及び図６に示すように、バースクリーンは、スペーサ４は、流体に付勢されることにより流れ方向Ｆと平行に配置されるべく、複数のバー５，…が並設される方向を中心に回転可能に構成される場合でもよい。
【００４１】
具体的には、スペーサ４は、各バー５間に挿入される板状の部位（以下、「挿入部」という）４０，…と、各バー５に設けられる孔５０に挿通されて挿入部４０，…を連結する連結部４１を備え、連結部４１は、軸回りに回転可能に構成される場合でもよい。
【００４２】
かかる構成によれば、挿入部４０が各バー５に設けられる孔５０に挿通されて回転可能な連結部４１に連結しているため、図６（ａ）に示すように、流体に付勢されると、板状の挿入部４０が連結部４１の軸方向を中心に回転するため、図６（ｂ）に示すように、流れ方向Ｆと平行となるように回転変位する。かかる場合、各スペーサ４は、バー５，５同士間を離間させるべく、端縁がバー５と接触しているため、円滑に回転するのではなく、徐々に回転して変位する。
【００４３】
したがって、スペーサ４が回転変位するため、各バー５の長手方向と流れ方向Ｆに直交する面とが交差する傾斜角度に対して、フレキシブルに対応することができる。さらに、連結部４１が各バー５に設けられる孔５０に挿通されるため、連結部４１で各バー５を支持することもできる。
【００４４】
なお、連結部４１が複数の挿入部４０，…を連結する場合だけでなく、一つの挿入部４０を連結して二つのバー５，５に設けられる孔５０に挿通される場合でもよく、要するに、連結部４１が連結する挿入部４０の数や、連結部４１が挿通するバー５，…の数には、限定されない。
【００４５】
さらに、連結部４１がバー５に設けられる孔５０に挿通される場合だけでなく、連結部４１がバー５と交差しない位置で水路に固定される場合でもよい。要するに、スペーサ４は、挿入部４０が各バー５間に配置され、複数のバー５，…が並設される方向を中心に回転可能に構成されていればよい。
【００４６】
また、上記実施形態に係るバースクリーンにおいては、流体が水の場合を説明したが、かかる場合に限られず、流体が水以外の液体の場合でもよく、さらには、気体、固体、それらの二つ又は三つの混合体である場合でもよい。
【００４７】
また、上記実施形態に係るバースクリーンにおいては、各バー１は、長手方向が水路の深さ方向に沿って配置され、水路の幅方向に並設される場合を説明したが、かかる場合に限られず、各バーは、長手方向が水路の幅方向に沿って配置され、水路の深さ方向に並設される場合でもよい。
【００４８】
また、上記実施形態に係るバースクリーンにおいては、各スペーサ２が水流（流れ）方向Ｆと反対方向から挿入される場合を説明したが、かかる場合に限られず、各スペーサが水流（流れ）方向Ｆからバー１，１同士間に挿入され、バー１，…に対して固定される場合でもよい。
【００４９】
但し、かかる構成によれば、例えば、バー１の長手方向に沿って移動可能なレーキで、上流側から付着（係止）された夾雑物を除去しようとしても、バー１，１同士間に配置されるレーキの部位が各スペーサと干渉してしまうため、別の除去手段が必要となる。
【００５０】
また、上記実施形態に係るバースクリーンにおいては、バー１が平板状に形成される場合を説明したが、かかる場合に限られず、例えば、バーは、棒状に形成される場合でもよい。
【図面の簡単な説明】
【００５１】
【図１】本発明の一実施形態に係るバーススクリーンの全体図であって、斜視図を示す。
【図２】同実施形態に係るバースクリーンの全体図であって、正面図を示す。
【図３】同実施形態に係るバースクリーンの、（ａ）は図２のＡ−Ａ線における断面図、（ｂ）は図２のＢ−Ｂ線における要部拡大断面図を示す。
【図４】同実施形態に係るバーススクリーンの製造方法を説明する要部拡大図であって、（ａ）は側面図、（ｂ）は正面図、（ｃ）は平面図を示す。
【図５】本発明の他の実施形態に係るバースクリーンの全体図であって、（ａ）は正面図、（ｂ）はＣ−Ｃ線における断面図を示す。
【図６】同実施形態に係るバースクリーンの図４（ａ）のＤ−Ｄ線における要部拡大断面図であって、（ａ）はスペーサが変位する前、（ｂ）はスペーサが変位した後を示す。
【図７】従来におけるバースクリーンの、（ａ）は全体斜視図、（ｂ）は縦方向要部拡大断面図を示す。
【符号の説明】
【００５２】
１…バー、２…スペーサ、２０…各バー間に配置される部位（挿入部）、２１…連結部、Ｆ…流れ方向（水流方向）
【図１】
0005213513.tif 000002
【図２】
0005213513.tif 000003
【図３】
0005213513.tif 000004
【図４】
0005213513.tif 000005
【図５】
0005213513.tif 000006
【図６】
0005213513.tif 000007
【図７】
0005213513.tif 000008